【手続補正書】
【提出日】平成18年6月7日(2006.6.7)
【手続補正１】
【補正対象書類名】明細書
【補正対象項目名】全文
【補正方法】変更
【補正の内容】
【書類名】        明細書
【発明の名称】    携帯用マッサージ機
【特許請求の範囲】
【請求項１】    一方に把持部を有する本体の他方に駆動モータの正逆回転により施療子が正逆旋回動作を行い得る施療機構を内装し、該本体の他方端には  前記施療機構と一定間隔を存して端部に円盤部材を有する円盤状移動体を連設して施療機構の施療子と円盤状移動体の円盤部材との間隔を調整可能にした携帯用マッサージ機であって、該携帯用マッサージ機は、前記施療機構に駆動モータの正逆回転により振動を付与或いは停止させる振動機構が設けられている事を特徴とする携帯用マッサージ機。
【請求項２】    前記施療機構は、制御機構による回転速度の速度可変用スイッチで駆動モータの速度を可変し得るものである事を特徴とする請求項１記載の携帯用マッサージ機。
【請求項３】    前記振動機構は、皿状に形成された盤状部材を具備しており、駆動モータを冷却させる事ができるようにしてある事を特徴とする請求項１記載の携帯用マッサージ機。
【発明の詳細な説明】
【０００１】
【発明の属する技術分野】
本発明は、揉み機能と振動機能とを備え、施療部に適宜のマッサージを行い得るようにした携帯用マッサージ機に関するものである。
【０００２】
【従来の技術】
従来の携帯用マッサージ機としては、一般的に高速で振動するようにした振動子を用いた振動式のものや、一対の施療子が互いに相対接離移動を行うよう旋回  する揉み式のもの等があり、何れもが小型且つ軽量で効率よくマッサージが行え  る為、市場に多く出回っているものである。
【０００３】
ところで、前者の前記振動子を用いた振動式の携帯用マッサージ機は、この振動子の振動により肩や首筋の凝りをほぐすようにしているが、使用者によっては価格が安価であるという利点はあるが、振動のみでは単調であり、また凝りをほぐす作用が充分に得られないという欠点があり、また、後者の場合には、稍高価であるが、肩や首筋等を揉みほぐす事ができる為、凝りをほぐす作用が充分に得られるという利点を有する。
【０００４】
【発明が解決しようとする課題】
しかしながら、上記従来の携帯用マッサージ機にあっては、振動式や揉み式の各々の利点を有するが、両機能による効果を期待する場合には、二種のマッサージ機を購入する必要があるため費用的な無駄を生じ、また、振動と揉みを同時に実施する事はできないという問題があった。
【０００５】
また、施療部は、腕部や肩部の他、足部等の部位により施療太さが異なり、更に施療者の体形によっても施療太さは異なるのであるが、従来の携帯用マッサージ機ではこれらの施療太さに適応させる事ができないという問題もあった。
【０００６】
本発明は、上記従来の携帯用マッサージ機の各種問題点に鑑みて成されたものであり、揉み機能と揉み振動機能を有し、しかも施療部位の施療太さに適宜適応できる安価な携帯用マッサージ機を提供することを目的としてなされたものである。
【０００７】
【課題を解決するための手段】
すなわち、本発明の携帯用マッサージ機は、一方に把持部を有する本体の他方に駆動モータの正逆回転により施療子が正逆旋回動作を行い得る施療機構を内装し、該本体の他方端には前記施療機構と一定間隔を存して端部に円盤部材を有する円盤状移動体を連設して施療機構の施療子と円盤状移動体の円盤部材との間隔を調整可能にした携帯用マッサージ機であって、該携帯用マッサージ機は、前記施療機構に駆動モータの正逆回転により振動を付与或いは停止させる振動機構が設けられている事を特徴とする。
【０００８】
【０００９】
更に本発明は、駆動モータの正逆回転により施療子が旋回動作と旋回振動動作を行い得る施療機構の駆動モータに回転速度を可変し得る制御機構を具備する事を特徴とするものでもある。
【００１０】
更にまた本発明は、前記振動機構は、皿状に形成された盤状部材を具備しており、駆動モータを冷却させる事ができるようにしてある事を特徴とするものである。
【００１１】
【発明の実施の形態】
以下、本発明の携帯用マッサージ機を図面に示す一実施形態に基づいて、これを詳細に説明する。
【００１２】
図１は、本発明の携帯用マッサージ機の一実施例を示す縦断面図であり、図２は、本発明の携帯用マッサージ機の一実施例を示す横断面図であり、図３乃至図５は、本発明の携帯用マッサージ機における振動機構の一実施例を示す説明図である。
【００１３】
すなわち、本発明の携帯用マッサージ機は、一方に把持部１１を有する本体１の他方に駆動モータ２１の正逆回転により施療子２８が正逆旋回動作を行い、駆動モータ２１の逆転時には旋回振動動作を行い得る施療機構２を内装すると共に、該本体１の他方端には前記施療機構２と一定間隔を存して円盤状移動体３を連設して構成されている。
【００１４】
前記本体１は、合成樹脂よりなる中央部位に施療機構２を内装し得る筒状の長尺状体としており、この長手方向一方に把持部１１を備え、その他方端には前記施療機構２と一定間隔を存して円盤状移動体３を連設し得るよう外周に雄螺子部１３を刻設している。
【００１５】
前記本体１の把持部１１には、前記施療機構２の起動及び停止を行うスイッチＳ１と、後述する制御機構による前記施療機構２の回転速度の速度可変用スイッチＳ２が設けられ、更に中央部位の前記施療子２８対応位置には、この施療子２８が外部へ突出する開口部１２が形成されている。
【００１６】
前記施療機構２は、前述したように、駆動モータ２１の正逆回転により施療子２８が正逆旋回動作を行うと共に、駆動モータ２１の逆転時には旋回振動動作を行い得るよう、外部から供給される電力により正逆駆動する駆動モータ２１と、該駆動モータ２１の駆動軸２２ａ後端に、この正逆回転により振動を付与或いは停止させる振動機構２２と、駆動モータ２１の駆動軸２２ａ前部にウォーム２４を取着すると共に該ウォーム２４に噛合して回転するウォーム歯車２５を設け、該ウォーム歯車２５に支持される施療子２８の保持用支持軸２６とからなる旋回機構２３とから構成されている。
【００１７】
２７はギヤボックスであり、該ギヤボックス２７は扁平状に形成され、前記ウォーム２５をこれに臨ませると共に、該ウォーム２５に噛合するウォーム歯車２６を支持収納している。
【００１８】
前記ウォーム歯車２５に支持される保持用支持軸２６は、前記施療子２８を保持させるのであるが、該施療子２８に旋回動作を付与すべく、図面ではウォーム歯車２５の軸芯中央部から直交方向に所定角度に屈曲して立設させている。
【００１９】
尚、このウォーム歯車２５に支持される保持用支持軸２６は、必ずしも前述したような構成にする必要はなく、ウォーム歯車２５軸芯の偏心位置から直交方向に立設させても良く、これにより、前述と同様に施療子２８に旋回動作を付与する事ができる。
【００２０】
前記駆動モータ２１の駆動軸２２ａ後端に軸着された振動機構２２は、図３乃至図５に示したように、板状或いは皿状に形成された盤状部材２２１と、該盤状部材２１の一側周縁（１８０度未満）に切抜形成された弧状孔２２２と、該弧状孔２２２の終端に隣接して固着された固定部材２２３と、前記弧状孔２２２内に係合してこれに沿って移動し得る重量調整部材２２４とで構成されている。
【００２１】
前記振動機構２２は、例えば駆動モータ２１が正転した場合には、図３に示すように固定部材２２３と重量調整部材２２４とが駆動軸２２ａを中心にして対向状に位置して重量バランスを均衡化させて通常回転を行い、駆動モータ２１が逆転した場合には、図４の状態を経由して図５に示すように固定部材２２３と重量調整部材２２４とが隣接する位置となり重量バランスを不均衡化させて振動を発生させるようにしている。
【００２２】
尚、盤状部材２２１は、前記したように皿状に形成されている場合には、駆動モータ２１を冷却させる冷却ファンの働きをさせる事ができる。
【００２３】
また、前記盤状部材２２１の形状は、円盤形状であっても多角形状であっても良く、また棒状であっても良い。
【００２４】
前記本体１の他方端に施療機構２と一定間隔を存して連設される円盤状移動体３は、施療機構２の施療子２８との間隔を調整し得るように構成されるものであり、図１及び図２に示したように、所定厚みを有する円形に形成された円盤部材３１と、これに連結され、内周に前記雄螺子部１３と螺合する雌螺子部３３を刻設してなる帽状部材３２とで形成され、該円盤状移動体３を左右に回転させて、深く捩じ込んだり浅く捩じ込んだりすることで、施療子２８との間隔を調整し得るようにしているのである。
【００２５】
前記施療子２８は、合成樹脂やゴム等の弾性体よりなり、例えば図示したような略砲弾形状とし、使用者の肩や首筋を充分に掴める程度の長さとするが、前記円盤状移動体３の円盤部材３１の突出長さと同長さにする事が好ましい。
【００２６】
２９はカバーであり、該カバー２９は、前記施療子２８が突出するよう開口させた開口部１２の周辺を覆っており、施療者の施療部やその一部が開口部１２と施療子２８間の隙間に挟み込まれないようにしている。
【００２７】
以上のように構成した本発明の携帯用マッサージ機を使用するには、次のようにして行う。
【００２８】
先ず、使用者の肩幅や首の太さ、使用者が好む幅に任意に調節すべく、円盤状移動体３を回転して施療子２８と円盤部材３１間の間隔を調整する。
【００２９】
すなわち、肩幅が狭かったり首の細い使用者の場合や、強い揉み作用を好む使用者の場合は、円盤状移動体３を回転させて施療子２８と円盤部材３１間の間隔を通常より狭くし、また、肩幅が広かったり首の太い使用者の場合や、弱い揉み作用を好む使用者の場合は、円盤状移動体３を回転させて施療子２８と円盤部材３１間の間隔を通常より広くする。
【００３０】
次に、使用者が片手で本体１の把持部１１を持ち、間隔を調節した施療子２８と円盤部材３１間に肩や首を入れる。この状態で、把持部１１に設けたスイッチＳ１を押せば、駆動モータ２１が駆動し、該駆動モータ２１の駆動に連動してウォーム２４が回転し、ウォーム２４に噛合させたウォーム歯車２５が回転する。  
【００３１】
例えば、前記駆動モータ２１が正転する場合には、図３に示すように振動機構２２の固定部材２２３と重量調整部材２２４とが駆動軸２２ａを中心にして対向状に位置して重量バランスを均衡化させた状態になる為、ウォーム歯車２５に立設した施療機構２の施療子２８が通常の旋回動作を行い、円盤部材３１と施療子２８を有する旋回機構２３により、肩や首筋に適度な揉みマッサージを行う事ができる。
【００３２】
また、前記駆動モータ２１を逆転させた場合には、図４に示すように振動機構２２の重量調整部材２２４が振動部材２２の固定部材２２３と接近する方向に移動し、図５に示すように固定部材２２３と重量調整部材２２４とが隣接する位置になる為、重量バランスを不均衡化させた状態でウォーム歯車２５に立設した施療子２８が旋回動作を行い、円盤部材３１と旋回機構２３の施療子２８による肩や首筋に適度な揉みマッサージを行う事ができると共に、振動機構２２による振動マッサージが行え、これらの旋回振動動作により肩や首筋に施療子２８による適度な振動揉みマッサージを行う事ができる。
【００３３】
なお、上記のように駆動モータ２１を正逆回転させながら、速度可変用スイッチＳ２を適宜に押す事で、揉みマッサージや振動揉みマッサージの速度を施療者の好みに合せて任意に可変することができる。
【００３４】
【発明の効果】
本発明の携帯用マッサージ機は、以上に述べたように構成されているので、従来の携帯用マッサージ機とは異なり、二種のマッサージ機を購入する必要がなく振動式や揉み式の各々の作用をこの一種で行うことができ、費用的な無駄を生じさせる事がない。
【００３５】
また本発明は、腕部や肩部の他足部等の異なる太さの施療部に、任意に適応させることができる為、従来の携帯用マッサージ機にはない新たな機能による利用ができる。
【００３６】
更に本発明は、比較的簡単な構造により製造できる為、製品価格を安価にすることができる。
【図面の簡単な説明】
【図１】
本発明の携帯用マッサージ機の一実施例を示す縦断面図である。
【図２】
本発明の携帯用マッサージ機の一実施例を示す横断面図である。
【図３】
本発明の携帯用マッサージ機における振動機構の一実施例を示す説明図である  。
【図４】
本発明の携帯用マッサージ機における振動機構の一実施例を示す説明図である  。
【図５】
本発明の携帯用マッサージ機における振動機構の一実施例を示す説明図である  。
【符号の説明】
１  本体
１１  把持部
２  施療機構
２１  駆動モータ
２２  振動機構
２２１  盤状部材
２３  旋回機構
２８  施療子
３  円盤状移動体
３１  円盤部材
Ｓ２  速度可変用スイッチ